(57)【要約】【課題】本発明は、カードの外部接触部と端子部材の接点部とを確実に接触させて導通させることが可能なカード用コネクタ装置を提供すること。【解決手段】本発明のカード用コネクタ装置のカバー部材１は、カード９を挿入可能な挿入口１ｅとこの挿入口１ｅから挿入したカード９を挿入可能なカード挿入部１ｄとを形成し、カバー部材９は、ハウジング５に密着させた状態でカード９と共にハウジングに沿ってスライド可能に構成され、ハウジング５に沿ってスライドさせたカバー部材１の動きを規制してロック可能なロック機構をカバー部材１とハウジング５とに形成した。【選択図】        図１
2004158258.tif 000002
【特許請求の範囲】
【請求項１】
カードに形成された外部接触部と接触可能な端子部材を並設したハウジングと、このハウジングの一端部に回動可能に支持され、前記カードを挿入可能なカード挿入部が形成されたカバー部材とを備え、前記カード挿入部に前記カードを挿入した状態で前記カバー部材を前記ハウジング側へ回動することにより、前記カードの外部接触部を前記端子部材に接触させる構成であって、前記カバー部材は、前記ハウジング側に回動させた後、前記カードと共に前記ハウジングに沿ってスライド可能に構成されると共に、前記ハウジングに沿ってスライドさせた前記カバー部材をロックするロック機構を設けたことを特徴とするカード用コネクタ装置。
【請求項２】
前記ハウジングの前記一端部には、長溝状の回動係支部が形成され、前記カバー部材には、前記回動係支部にスライド係支可能な回動軸が形成されていることを特徴とする請求項１記載のカード用コネクタ装置。
【請求項３】
前記ロック機構は、前記カバー部材に形成した係止部と、この係止部が係合可能な前記ハウジングに形成した係合部とからなり、前記ハウジング側に回動させた前記カバー部材を前記スライドさせると、前記係止部が前記係合部に係合して前記カバー部材がロックされるようにしたことを特徴とする請求項１、または２記載のカード用コネクタ装置。
【請求項４】
前記カバー部材の前記カード挿入部には、挿入した前記カードを抜け止め可能な抜け止め部を形成したことを特徴とする請求項１乃至３のいずれかに記載のカード用コネクタ装置。
【請求項５】
前記カードは、前記挿入口から前記カード挿入部に挿入可能な挿入側端部と、この挿入側端部と反対側に位置する後端部とを有し、前記抜け止め部は、前記カバー部材の一部に形成した係合弾性部を前記カードの前記後端部側に係脱可能に形成してなることを特徴とする請求項４記載のカード用コネクタ装置。
【請求項６】
前記カードの前記後端部には、一方の隅部を斜めに切り欠きして切り欠き部が形成され、前記係合弾性部には、前記切り欠き部に当接可能な当接部が形成されていることを特徴とする請求項５記載のカード用コネクタ装置。
【請求項７】
前記カード挿入部には、挿入した前記カードの挿入方向への動きを規制可能な規制部が形成され、この規制部には、前記カード挿入部に挿入した前記カードを排出方向に付勢可能な付勢部材を形成したことを特徴とする請求項１乃至６のいずれかに記載のカード用コネクタ装置。
【請求項８】
前記カバー部材は、金属板からなり、前記付勢部材は、前記カバー部材を折り曲げ形成した板バネからなり、この板バネを前記カード挿入部の奥端部に配設して、前記カードの前記挿入側端部を付勢するようにしたことを特徴とする請求項７記載のカード用コネクタ装置。
【発明の詳細な説明】
【０００１】
【発明の属する技術分野】
本発明はカード用コネクタ装置に係わり、特にパーソナルコンピュータ等の記録媒体に用いられるＩＣカードや、デジタルカメラ等の電子機器に使用されるカード等に書き込み、または読み出し可能なカード用コネクタ装置に関する。
【０００２】
【従来の技術】
カンガルータイプと称される従来のカード用コネクタ装置は、図１９に示すように、樹脂材料からなるハウジング３１が配設されており、このハウジング３１には、複数の端子部材３２がインサート成型等により埋設されており、端子部材３２の先端部には湾曲状の接点部３２ａが形成されている。
また、ハウジング３１の図示左端部側には、カバー部材３３を回動自在に支持可能な回動支持部３４が形成されている。前記カバー部材３３には、２点鎖線で示すようなカード３５を挿入可能なカード挿入部３３ａが形成されており、カード挿入部３３ａに挿入したカード３５は、ガイド部材３６によってガイドされるようになっている。
そして、カード挿入部３３ａにカード３５を挿入したカバー部材３３は、回動支持部３４を支点として上下に回動自在になっている。
【０００３】
また、ハウジング３１には、カバー部材３３のカード挿入部３３ａに挿入したカード３５を載置することができる凹状のカード載置部３１ａが形成され、このカード載置部３１ａの図示左側の奥壁３１ｂに、カード挿入部３３ａに挿入したカード３５の前端部３５ａが当接可能になっている。
また、カード載置部３１ａの図示右側の前側壁３１ｃに、カード３５の後端部３５ｂが当接可能になっており、カード挿入部３３ａに挿入したカード３５は、カバー部材３３を下方に回動させることにより、カード載置部３１ａに位置して、図示左右方向への動きが規制されるようになっている。
【０００４】
また、ハウジング３１側に回動させて、ハウジング３１に密着させたカバー部材３３を、ハウジング３１に沿ってスライドさせることにより、図示を省略したロック部材により、カバー部材３３がハウジング３１から離れる方向への動きがロックされるようになっている。
また、カバー部材３３を回動させてカード載置部３１ａに載置したカード３５は、複数の外部接触部に複数の端子部材３２の接点部３２ａが弾接して、カード３５に情報の書き込み、あるいは読み出しができるようになっている。
【０００５】
【特許文献】
特願平  ３−５０５６８８号公報
【０００６】
【発明が解決しようとする課題】
しかし、前述したようなカンガルータイプと称される従来のカード用コネクタ装置は、カバー部材３３を回動させてハウジング３１に密着させた状態で、ハウジング３１に沿ってスライドさせてロックするときに、カード３５は、ハウジング３１のカード載置部３１ａに装着された状態で、奥壁３１ｂと前側壁３１ｃとによってロックされている。
そのために、カード載置部３１ａに装着したカード３５は、外部接触部と端子部材３２の接点部３２ａとが接触したままで静止状態となっているので、カード３５の外部接触部、または接点部３２ａに錆、あるいは汚れ等があった場合に、カード３５と端子部材３２とが接触不良になるおそれがないとは言えなかった。本発明は前述したような問題点に鑑みてなされたもので、カードの外部接触部と端子部材の接点部とを確実に接触させて導通させることが可能なカード用コネクタ装置を提供することを目的とする。
【０００７】
【課題を解決するための手段】
前記課題を解決するための第１の解決手段として本発明のカード用コネクタ装置は、カードに形成された外部接触部と接触可能な端子部材を並設したハウジングと、このハウジングの一端部に回動可能に支持され、前記カードを挿入可能なカード挿入部が形成されたカバー部材とを備え、前記カード挿入部に前記カードを挿入した状態で前記カバー部材を前記ハウジング側へ回動することにより、前記カードの外部接触部を前記端子部材に接触させる構成であって、前記カバー部材は、前記ハウジング側に回動させた後、前記カードと共に前記ハウジングに沿ってスライド可能に構成されると共に、前記ハウジングに沿ってスライドさせた前記カバー部材をロックするロック機構を設けたことを特徴とする。
【０００８】
また、前記課題を解決するための第２の解決手段として、前記ハウジングの前記一端部には、長溝状の回動係支部が形成され、前記カバー部材には、前記回動係支部にスライド係支可能な回動軸が形成されていることを特徴とする。
【０００９】
また、前記課題を解決するための第３の解決手段として、前記ロック機構は、前記カバー部材に形成した係止部と、この係止部が係合可能な前記ハウジングに形成した係合部とからなり、前記ハウジング側に回動させた前記カバー部材を前記スライドさせると、前記係止部が前記係合部に係合して前記カバー部材がロックされるようにしたことを特徴とする。
【００１０】
また、前記課題を解決するための第４の解決手段として、前記カバー部材の前記カード挿入部には、挿入した前記カードを抜け止め可能な抜け止め部を形成したことを特徴とする。
【００１１】
また、前記課題を解決するための第５の解決手段として、前記カードは、前記挿入口から前記カード挿入部に挿入可能な挿入側端部と、この挿入側端部と反対側に位置する後端部とを有し、前記抜け止め部は、前記カバー部材の一部に形成した係合弾性部を前記カードの前記後端部側に係脱可能に形成してなることを特徴とする。
【００１２】
また、前記課題を解決するための第６の解決手段として、前記カードの前記後端部には、一方の隅部を斜めに切り欠きして切り欠き部が形成され、前記係合弾性部には、前記切り欠き部に当接可能な当接部が形成されていることを特徴とする。
【００１３】
また、前記課題を解決するための第７の解決手段として、前記カード挿入部には、挿入した前記カードの挿入方向への動きを規制可能な規制部が形成され、この規制部には、前記カード挿入部に挿入した前記カードを排出方向に付勢可能な付勢部材を形成したことを特徴とする。
【００１４】
また、前記課題を解決するための第８の解決手段として、前記カバー部材は、金属板からなり、前記付勢部材は、前記カバー部材を折り曲げ形成した板バネからなり、この板バネを前記カード挿入部の奥端部に配設して、前記カードの前記挿入側端部を付勢するようにしたことを特徴とする。
【００１５】
【発明の実施の形態】
以下に、カンガルータイプと称される本発明のカード用コネクタ装置の１実施の形態について図面に基づいて説明する。図１は本発明のカード用コネクタ装置の上面図であり、図２は図１の要部断面図であり、図３は本発明に係わるカバー部材を回動させた状態の要部断面面であり、図４は本発明に係わるカバー部材の側面図であり、図５は図４の平面図であり、図６は図５の側面図であり、図７は図５の７−７断面図であり、図８は本発明に係わるハウジングの上面図であり、図９は図８の側面図であり、図１０は図８の１０−１０断面図であり、図１１は本発明に係わるカードの上面図であり、図１２〜図１４は本発明のカード用コネクタ装置へのカードの挿入を説明する要部断面図であり、図１５は図１の１５−１５断面図であり、図１６〜図１８は本発明のカード用コネクタ装置に装着したカードの排出を説明する要部断面図である。
【００１６】
まず、本発明のカード用コネクタ装置の１実施の形態は、図１〜図３に示すように、後述するカード９を挿入可能なカバー部材１と、このカバー部材１の下部には、カバ−部材１を回動可能に支持する後述するハウジング５が配設されている。前記カバー部材１は、一端部側がハウジング５に支持されてハウジング５から接離する方向に回動可能になっている。
前記カバー部材１は、ステンレス板等の弾性を有する所定厚さの金属板からなり、上面視の形状が図５に示すように、略矩形状に形成されて天板１ａを有し、この天板１ａの図示上下端部を互いに対向する方向に折り曲げて、後述するカード９の幅方向をガイド可能な一方と他方の側壁１ｂ、１ｃが形成されている。
【００１７】
そして、一方と他方の側壁１ｂ、１ｃに挟まれた空洞部分に、後述するカード９を挿入可能なカード挿入部１ｄが形成されている。また、カバー部材１は、図４〜図６に示すように、カード挿入部１ｄの図示右側端部が開放されて挿入口１ｅが形成され、この挿入口１ｅから矢印Ａ方向に挿入した後述するカード９は、カード挿入部１ｄに位置して抜け止めされるようになっている。
また、カバー部材１の一端部側には、一方と他方の側壁１ｂ、１ｃを天板１ａよりも図示左方向に延出させて支持部１ｆ、１ｆが形成され、この支持部１ｆ、１ｆに、それぞれ回動軸１ｇ、１ｇが互いに対向する方向の内向きに突出形成されている。
前記回動軸１ｇは、支持部１ｆをバーリング加工等により突き出し形成されている。
【００１８】
また、一方と他方の側壁１ｂ、１ｃには、互いに対向する位置に、後述するハウジング５の係合部５ｃに係合可能な係止部１ｈが形成され、この係止部１ｈは、中央部に凸条部１ｊが天板１ａ側に突出形成されている。
また、カード挿入部１ｄを構成する一方と他方の側壁１ｂ、１ｃには、係止部１ｈの図示右側に第１ガイド部１ｋが、係止部１ｈの図示左側に第２ガイド部１ｍがそれぞれ折り曲げ形成されて、カード挿入部１ｄに挿入した後述するカード９の下面側をガイド可能になっている。
また、天板１には、一対の楕円形状の開口部１ｎ、１ｎが形成されている。また、天板１ａの挿入口１ｅ側が略円弧状に切り欠きされて、カード挿入部１ｄからイジェクトされた後述するカード９の後端部９ｂが露出するようになっている。
【００１９】
また、挿入口１ｅと反対側のカード挿入部１ｄの奥端部には、挿入したカード９の挿入側端部９ａが当接して、矢印Ａの挿入方向への動きを規制可能な規制部２が形成されている。
前記規制部２は、カード挿入部１ｄに挿入した後述するカード９の挿入側端部９ａが当接可能な天板１ａの一部を下方に折り曲げて形成した当接壁２ａからなっている。そして、規制部２には、当接壁２ａの一部を天板と平行方向に延出させた板バネからなる付勢部材２ｂが形成されている。
この付勢部材２ｂは、カード挿入部１ｄに挿入したカード９の挿入側端部９ａに当接して矢印Ａの挿入方向と反対の排出方向に付勢可能になっている。
【００２０】
また、カバー部材１には、後述するカード９の後端部９ｂ側の一部である切り欠き部９ｃが当接して、カード挿入部１ｄに挿入したカード９を抜け止め可能な抜け止め部３が形成されている。
前記抜け止め部３は、図５に示すように、天板１ａの一部を一方の側壁１ｂ側に略４５°の角度で斜めに打ち抜いて形成した一対のスリット溝１ｐ、１ｐに挟まれた部分に、長尺状で板厚方向に弾性変形可能な係合弾性部３ａが形成されている。
また、抜け止め部３は、係合弾性部３ａの先端部寄りでカード挿入部１ｄの形成範囲内に、図５に示すように、カード挿入部１ｄに挿入した後述するカード９の後端部９ｂに形成した切り欠き部９ｃが当接可能な当接部３ｂが形成されている。
【００２１】
前記当接部３ｂは、係合弾性部３ａの先端部寄りを、図５に示す係合弾性部３ａの中心線Ｂと直交する方向の折り曲げ線に沿って、図７に示すように、階段状に折り曲げられて、垂直状の当接壁３ｃが形成されている。
また、抜け止め部３は、係合弾性部３ａの一部である当接部３ｂの一部をカード挿入部１ｄの外側に延出形成して、カード挿入部１ｄに挿入した後述するカード９の抜け止めを解除可能なイジェクト操作部４が形成されている。
前記イジェクト操作部４は、図７に示すように、カード挿入１ｄの外側に位置する当接部３ｂを略く字状に下方側に折り曲げて形成されている。
そして、イジェクト操作部４を上方に押し上げることにより、係合弾性部３ａが弾性変形して、当接部３ｂがカード９の後端部の切り欠き部９ｃから外れて、カード９をカード挿入部１ｄからイジェクト可能になっている。
【００２２】
また、カバー部材１を回動可能に支持したハウジング５は、樹脂材料からなり、図８に示すように、中央部に外形が略矩形状で所定厚さに形成された基部５ａを有し、この基部５ａには、複数のスリット状の端子孔５ｂが所定角度で傾斜した状態で貫通形成されている。
前記スリット状の端子孔５ｂには、後述する端子部材８の接点部８ａが位置している。また、ハウジング５には、図８に示す基部５ａの上下の側面を彫り込みして係合部５ｃ、５ｃが形成され、この係合部５ｃにカバー部材１の係止部１ｈが係合可能になっている。
前記係合部５ｃには、基部５ａを彫り込みして形成した上壁面の一部に、凹条の係合溝５ｄが形成され、この係合溝５ｄに係止部１ｈの凸条部１ｊが係合可能になっている。
【００２３】
そして、カバー部材１を矢印Ｃ方向にスライドさせて、係止部１ｈをハウジング５の係合部５ｃに係合させることで、カバー部材１がロックされて、ハウジング５から離れる方向への動きが規制されるようになっている。
即ち、係止部１ｈと係合部５ｃとで、本発明のカード用コネクタ装置のロック機構が構成されている。
また、基部５ａには、彫り込み形成した係合部５ｃの底面５ｅが、図示左側に所定長さで延長形成され、この延長形成された底面５ｅの一部から所定寸法外側に突出させて桟部５ｆが形成されている。
そして、図２に示すように、桟部５ｆの上方には、所定の空隙を有してカバー部材１の第２ガイド部１ｍがスライド可能に位置するようになっている。
【００２４】
また、ハウジング５は、図８に示す基部５ａの上下の側面から左方向に延出する一対の支持腕６、６が形成され、この支持腕６、６のそれぞれには、図示左側の端部寄りの位置に、支持腕６と平行方向に長溝状の回動係支部６ａが所定深さで形成されている。
そのために、回動係支部６ａに回動軸１ｇを係合させた状態で、ハウジング５に取り付けたカバー部材１は、図３に示すように、回動軸１ｇを支点として矢印Ｂ、またはその反対方向に回動可能であると共に、図２に示すように、ハウジング５に密着させた状態でハウジング５に沿って矢印Ｃまたはその反対方向にスライド可能になっている。
【００２５】
また、ハウジング５は、図８に示すように、右側上部のコーナ部から図示右方向に延長してイジェクト腕７が形成され、このイジェクト腕７の先端部寄りには、図９に示すように、三角状の突起部７ａが所定高さで突出形成されている。
そして、図３に示すように、カバー部材１を矢印Ｂ方向に回動させて、図２に示すように、ハウジング５に密着させた状態で、矢印Ｃ方向にスライドさせると、カバー部材１のイジェクト操作部４が突起部７ａを乗り越えて、突起部７ａの右側に位置するようになっている。
【００２６】
また、ハウジング５の複数の端子孔５ｂに接触片８ａが位置する端子部材８は、リン青銅板等の弾性を有する金属材料からなり、接触片８ａと一体形成された外部端子８ｂが基部５ａの外部に導出形成されている。
そして、端子部材８は、接触片８ａと外部端子８ｂとの間が基部５ａにインサート成形等により埋設されて、外部端子８ｂがパーソナルコンピュータ等のプリント基板（図示せず）に半田付け可能になっている。
【００２７】
また、カード挿入部１ｄに挿入可能なカード９は、図１１に示すように、外形が略矩形状に形成され、挿入口１ｅからカード挿入部１ｄに挿入可能な挿入側端部９ａが、図示左側に形成され、この挿入側端部９ａと反対側の図示右側の位置に後端部９ｂが形成されている。
また、後端部９ｂは、一方の隅部が斜めに切り欠きされて切り欠き部９ｃが形成されている。
そして、カード挿入部１ｄにカード９を挿入すると、カード挿入部１ｄの奥側に形成した規制部２に挿入側端部９ａが当接すると共に、挿入側端部９ａが付勢部材２ｂに弾性付勢されて、カード９が矢印Ａと反対方向の排出方向に付勢されるようになっている。
【００２８】
また、挿入口１ｅからカード挿入部１ｄに挿入したカード９が、挿入側端部９ａからでなく後端部９ｂから挿入するような誤挿入であった場合には、切り欠き部９ｃが抜け止め部３に位置しないので、カード９を抜け止めすることができない。
そのために、付勢部材２ｂの付勢力でカード挿入部１ｄから押し出されたカード９によって、カード９が誤挿入されたことを操作者が見付けることができる。また、図１１に示すカード９の裏面側には、端子部材８の接点部８ａが接触可能な複数の外部接触部（図示せず）が露出して形成されている。
【００２９】
前述したような構成の本発明のカード用コネクタ装置の動作を説明すると、まず、図１２に示すように、ハウジング５から離間する方向に回動させたカバー部材１の挿入口１ｅから、カード９の挿入側端部９ａを矢印Ａ方向に挿入して、図１３に示すように、カード９をカード挿入部１ｄに挿入する。
すると、カード９の挿入側端部９ａが規制部２の付勢部材２ｂによって排出方向に付勢されると共に、カード９の後端部９ｂに形成した切り欠き部９ｃが抜け止め部３の当接壁３ｃに当接して、カード９がカード挿入部１ｄから抜け止めされる。
【００３０】
前記カード９を挿入した状態のカバー部材１を矢印Ｂの下方側に回動させて、図１４に示すように、ハウジング５に密着させると、カード９の外部接触部（図示せず）が端子部材８の接点部８ａに圧接してカード９が装着される。
この状態でカバー部材１を矢印Ｃ方向にスライドさせると、カバー部材１と共にカード９も同方向にスライドして、カード９の外部接触部（図示せず）と端子部材８の接点部８ａとが擦れてクリーニング効果を奏するようになっている。
【００３１】
また、カバー部材１を矢印Ｃ方向にスライドさせると、図１５に示すように、イジェクト操作部４が突起部７ａの右側に位置すると共に、図２に示すように、ロック機構であるハウジング５の係合部５ｃに、カバー部材１側の係止部１ｈが係合して、カバー部材１がロックされ、ハウジング５から離れ方向への動きが規制される。
前述したように、カード９を挿入した状態のカバー部材１がハウジング５に密着した状態でロックされると、カード９に、情報の書き込み、あるいは読み出しを行うようになっている。
【００３２】
そして、情報の書き込み、あるいは読み出しが完了後のカード９をイジェクトするには、図１６に示すように、ハウジング５に回動方向がロックされた状態のカバー部材１を、矢印Ｄ方向にスライドさせる。
すると、図１７に示すように、イジェクト操作部４が突起部７ａに押し上げられて、抜け止め部３の係合弾性部３ａが上方に弾性変形し、カード９の切り欠き部９ｃに当接していた当接部３ｂの当接が外れる。
【００３３】
このことにより、カード９は、抜け止めが解除されると共に、付勢部材２ｂの矢印Ｅ方向の付勢力によりカード挿入部１ｄから矢印Ｆ方向にイジェクトされる。
即ち、抜け止め部３は、カバー部材１の一部に形成した係合弾性部３ａがカード９の後端部９ｂに形成した切り欠き部９ｃに係脱することにより、カード挿入部１ｄに挿入したカード９の抜け止めおよびイジェクトが可能になっている。
【００３４】
このような本発明のカード用コネクタ装置は、カード挿入部１ｄにカード９を挿入後、図１４に示すように、カバー部材１を矢印Ｃ方向にスライドさせると、カバー部材１と共にカード９も同方向にスライドして、カード９の外部接触部（図示せず）と端子部材８の接点部８ａとが擦られて、それぞれの接触部の汚れ、あるいはゴミ等が除かれてクリーニングすることができ、繰り返し長時間使用しても、確実な接触を確保することができる。
本発明の実施の形態では、抜け止め部３の当接部３ｂをカード９の切り欠き部９ｃに当接させて抜け止めすることで説明したが、当接部３ｂをカード９の後端部９ｂに当接させるようにしたものでも良い。
【００３５】
【発明の効果】
以上説明したように、本発明のカード用コネクタ装置のカバー部材は、ハウジング側に回動させた後、カードと共にハウジングに沿ってスライド可能に構成されると共に、ハウジングに沿ってスライドさせたカバー部材をロックするロック機構を設けたので、カードの外部接触部と端子部材の接点部とが擦られて、それぞれの接触部のクリーニング効果を奏することができ、確実な接触を常時確保することができる高性能なカード用コネクタ装置を提供できる。
また、カバー部材をハウジングに対してロック可能なロック機構が形成されているので、外部から振動等が加わっても、カバー部材が動いてカードと端子部材との接触が不安定になることがない。
【００３６】
また、ハウジングの一端部には、長溝状の回動係支部が形成され、カバー部材には、回動係支部にスライド係支可能な回動軸が形成されているので、回動軸を回動係支部に支持することにより、カバー部材をハウジングに沿ってスライドさせることができ、操作性の良いカード用コネクタ装置を提供できる。
【００３７】
また、ロック機構は、カバー部材に形成した係止部と、この係止部が係合可能なハウジングに形成した係合部とからなるので、部品点数を増やすことなく構造が簡単なロック機構を形成することができる。
【００３８】
また、カバー部材のカード挿入部には、挿入したカードを抜け止め可能な抜け止め部を形成したので、カード挿入部に挿入したカードを抜け止め部で確実に保持して抜け止めすることができる。
【００３９】
また、抜け止め部は、カバー部材の一部に形成した係合弾性部からなり、この係合弾性部がカードの後端部側に係脱可能になっているので、部品点数を増やすことなく抜け止め部を形成することができる。
【００４０】
また、カードの後端部には、一方の隅部を斜めに切り欠きして切り欠き部が形成され、係合弾性部には、切り欠き部に当接してカードを抜け止め可能な当接部が形成されているので、カードの誤挿入を容易に検出することができると共に、カード挿入部に挿入したカードの抜け止めを確実に行うことができる。
【００４１】
また、カード挿入部には、挿入したカードの挿入方向への動きを規制可能な規制部が形成され、この規制部には、カードを排出方向に付勢可能な付勢部材を形成しているので、抜け止め部による抜け止めが解除されたカードを、付勢部材で排出方向に付勢して、容易にカード挿入部からイジェクトすることができる。
【００４２】
また、カバー部材は、金属板からなり、付勢部材は、カバー部材を折り曲げ形成した板バネからなり、この板バネをカード挿入部の奥端部に配設して、カードの挿入側端部を付勢するようにしたので、カバー部材に付勢部材を一体形成したので備品点数が少なくいて組立性の良いカード用コネクタ装置を提供できる。
【図面の簡単な説明】
【図１】本発明のカード用コネクタ装置の上面図である。
【図２】図１の要部断面図である。
【図３】本発明に係わるカバー部材を回動させた状態の要部断面面である。
【図４】本発明に係わるカバー部材の側面図である。
【図５】図４の平面図である。
【図６】図５の側面図である。
【図７】図５の７−７断面図である。
【図８】本発明に係わるハウジングの上面図である。
【図９】図８の側面図である。
【図１０】図８の１０−１０断面図である。
【図１１】本発明に係わるカードの上面図である。
【図１２】本発明のカード用コネクタ装置へのカードの挿入を説明する要部断面図である。
【図１３】本発明のカード用コネクタ装置へのカードの挿入を説明する要部断面図である。
【図１４】本発明のカード用コネクタ装置へのカードの挿入を説明する要部断面図である。
【図１５】図１の１５−１５断面図である。
【図１６】本発明のカード用コネクタ装置に挿入したカードの排出を説明する要部断面図である。
【図１７】本発明のカード用コネクタ装置に挿入したカードの排出を説明する要部断面図である。
【図１８】本発明のカード用コネクタ装置に挿入したカードの排出を説明する要部断面図である。
【図１９】従来のカード用コネクタ装置を説明する要部断面図である。
【符号の説明】
１  カバー部材
１ａ  天板
１ｄ  カード挿入部
１ｅ  挿入口
１ｇ  回動軸
１ｈ  係止部
２  規制部
２ｂ  付勢部材
３  抜け止め部
３ａ  係合弾性部
３ｂ  当接部
４  イジェクト操作部
５  ハウジング
５ａ  基部
５ｂ  端子孔
６  支持腕
６ａ  回動係支部
７  イジェクト腕
７ａ  突起部
８  端子部材
８ａ  接点部
８ｂ  端子部
９  カード
９ａ  挿入側端部
９ｂ  後端部
９ｃ  切り欠き部
【図１】
2004158258.tif 000003
【図２】
2004158258.tif 000004
【図３】
2004158258.tif 000005
【図４】
2004158258.tif 000006
【図５】
2004158258.tif 000007
【図６】
2004158258.tif 000008
【図７】
2004158258.tif 000009
【図８】
2004158258.tif 000010
【図９】
2004158258.tif 000011
【図１０】
2004158258.tif 000012
【図１１】
2004158258.tif 000013
【図１２】
2004158258.tif 000014
【図１３】
2004158258.tif 000015
【図１４】
2004158258.tif 000016
【図１５】
2004158258.tif 000017
【図１６】
2004158258.tif 000018
【図１７】
2004158258.tif 000019
【図１８】
2004158258.tif 000020
【図１９】
2004158258.tif 000021